(57)【要約】【課題】営業活動の成果として生じるキッティング作業等の諸作業を、時期に依ることなく平準化して行うシステムを提供する。【解決手段】営業支援サーバ装置１は、活動情報入力手段１３，活動情報蓄積手段１４，開始情報送信手段１５を備え、商品販売員のクライアント装置３０と、キッティング作業の管理用のサーバ装置３等とにネットワーク２を介して接続される。活動情報入力手段１３では販売員により営業活動情報が入力され、活動情報蓄積手段１４ではその情報を営業活動情報ＤＢ１２に蓄積する。開始情報送信手段１５では、蓄積された営業活動情報に基づき、キッティング管理サーバ装置３に対しキッティング作業開始情報を送信する。キッティング管理サーバ装置３は、送信された情報に基づき、営業活動情報に係わる商品に対しキッティング作業が実行可能な状態であることを記録し、キッティング管理サーバ装置３のクライアント装置３０に通知する。【選択図】        図１
2004341704.tif 000002
【特許請求の範囲】
【請求項１】
商品の販売員の営業支援を行う営業支援サーバ装置と、該営業支援サーバ装置にネットワークを介して接続され、商品のキッティングを行うキッティングセンタにおいてキッティング作業の管理を行うキッティング管理サーバ装置と、を備えた業務平準化システムであって、前記営業支援サーバ装置は、販売員の営業活動情報を入力する活動情報入力手段と、該活動情報入力手段で入力された営業活動情報を蓄積する活動情報蓄積手段と、該活動情報蓄積手段で蓄積された営業活動情報に基づいて、前記キッティング管理サーバ装置に対し、キッティング作業開始情報を送信する開始情報送信手段と、を有することを特徴とする業務平準化システム。
【請求項２】
前記キッティング管理サーバ装置は、前記開始情報送信手段で送信されたキッティング作業開始情報に基づいて、前記営業活動情報に係わる商品に対しキッティング作業が実行可能な状態であることを記録する状態記録手段を有することを特徴とする請求項１に記載の業務平準化システム。
【請求項３】
前記キッティング管理サーバ装置は、前記状態記録手段で記録された実行可能状態を、該キッティング管理サーバ装置のクライアント装置に通知する状態通知手段を有することを特徴とする請求項２に記載の業務平準化システム。
【請求項４】
前記営業支援サーバ装置には、営業活動の各段階における成約率に関する情報がアクセス可能に格納されており、前記開始情報送信手段は、前記活動情報蓄積手段で蓄積された営業活動情報に対し、前記成約率に基づいて商品の販売予測数及びその予測日を算出する販売予測数算出手段を有し、該販売予測数算出手段で算出された販売予測数及びその予測日を含んだ情報として、キッティング作業開始情報を送信することを特徴とする請求項１乃至３のいずれか１項に記載の業務平準化システム。
【請求項５】
前記キッティング管理サーバ装置は、前記キッティング作業開始情報に基づいて、キッティング作業における人員配置，日程を含んだスケジュールを算出する手段を有することを特徴とする請求項１乃至４のいずれか１項に記載の業務平準化システム。
【請求項６】
前記営業支援サーバ装置にネットワークを介して接続され、顧客サービスセンタにおいて顧客サービスを支援するサービス支援サーバ装置を備え、前記開始情報送信手段は、前記活動情報蓄積手段で蓄積された営業活動情報に基づいて、前記サービス支援サーバ装置に対し、顧客サービス開始情報を送信する手段を有することを特徴とする請求項１乃至５のいずれか１項に記載の業務平準化システム。
【請求項７】
前記サービス支援サーバ装置は、前記開始情報送信手段で送信された顧客サービス開始情報に基づいて、前記営業活動情報に係わる商品に対する顧客サービスが実行可能な状態であることを記録する状態記録手段を有することを特徴とする請求項６に記載の業務平準化システム。
【請求項８】
前記サービス支援サーバ装置は、前記状態記録手段で記録された実行可能状態を、該サービス支援サーバ装置のクライアント装置に通知する状態通知手段を有することを特徴とする請求項７に記載の業務平準化システム。
【請求項９】
前記営業支援サーバ装置には、営業活動の各段階における成約率に関する情報がアクセス可能に格納されており、前記開始情報送信手段は、前記活動情報蓄積手段で蓄積された営業活動情報に対し、前記成約率に基づいて商品の販売予測数及びその予測日を算出する販売予測数算出手段を有し、該販売予測数算出手段で算出された販売予測数及びその予測日を含んだ情報として、顧客サービス開始情報を送信することを特徴とする請求項６乃至８のいずれか１項に記載の業務平準化システム。
【請求項１０】
前記サービス支援サーバ装置は、顧客の機器に接続された顧客サービス用アダプタに、ネットワーク接続されており、前記顧客サービス用アダプタからの通報を、前記営業支援サーバ装置に営業活動情報として転送する通報転送手段を有することを特徴とする請求項６乃至９のいずれか１項に記載の業務平準化システム。
【請求項１１】
前記営業支援サーバ装置にネットワークを介して接続され、前記販売員の属する企業の業務を管理する業務サーバ装置を備え、前記開始情報送信手段は、前記活動情報蓄積手段で蓄積された営業活動情報に基づいて、前記業務サーバ装置に対し、業務開始情報を送信する手段を有することを特徴とする請求項１乃至１０のいずれか１項に記載の業務平準化システム。
【請求項１２】
前記業務サーバ装置は、前記開始情報送信手段で送信された業務開始情報に基づいて、前記営業活動情報に係わる商品に対し発注処理，出荷処理，売上処理のいずれか１又は複数の処理が実行可能な状態であることを記録する状態記録手段を有することを特徴とする請求項１１に記載の業務平準化システム。
【請求項１３】
前記業務サーバ装置は、前記状態記録手段で記録された実行可能状態を、該業務サーバ装置のクライアント装置に通知する状態通知手段を有することを特徴とする請求項１２に記載の業務平準化システム。
【請求項１４】
前記営業支援サーバ装置には、営業活動の各段階における成約率に関する情報がアクセス可能に格納されており、前記開始情報送信手段は、前記活動情報蓄積手段で蓄積された営業活動情報に対し、前記成約率に基づいて商品の販売予測数及びその予測日を算出する販売予測数算出手段を有し、該販売予測数算出手段で算出された販売予測数及びその予測日を含んだ情報として、業務開始情報を送信することを特徴とする請求項１１乃至１３のいずれか１項に記載の業務平準化システム。
【請求項１５】
商品の販売員の営業支援を行う営業支援サーバ装置と、該営業支援サーバ装置にネットワークを介して接続され、顧客サービスセンタにおいて顧客サービスを支援するサービス支援サーバ装置と、を備えた業務平準化システムであって、前記営業支援サーバ装置は、販売員の営業活動情報を入力する活動情報入力手段と、該活動情報入力手段で入力された営業活動情報を蓄積する活動情報蓄積手段と、該活動情報蓄積手段で蓄積された営業活動情報に基づいて、前記サービス支援サーバ装置に対し、顧客サービス開始情報を送信する開始情報送信手段と、を有することを特徴とする業務平準化システム。
【請求項１６】
商品の販売員の営業支援を行う営業支援サーバ装置と、該営業支援サーバ装置にネットワークを介して接続され、前記販売員の属する企業の業務を管理する業務サーバ装置と、を備えた業務平準化システムであって、前記営業支援サーバ装置は、販売員の営業活動情報を入力する活動情報入力手段と、該活動情報入力手段で入力された営業活動情報を蓄積する活動情報蓄積手段と、該活動情報蓄積手段で蓄積された営業活動情報に基づいて、前記業務サーバ装置に対し、業務開始情報を送信する開始情報送信手段と、を有することを特徴とする業務平準化システム。
【請求項１７】
前記活動情報入力手段は、前記販売員が使用する営業支援サーバ装置用クライアント装置からネットワークを介して入力する手段を有することを特徴とする請求項１乃至１６のいずれか１項に記載の業務平準化システム。
【請求項１８】
商品の販売員の営業支援を行う営業支援サーバ装置と、該営業支援サーバ装置にネットワークを介して接続されたキッティング管理サーバ装置と、を利用して、商品のキッティングを行うキッティングセンタにおけるキッティング作業の管理を行う業務平準化方法であって、販売員の営業活動情報を前記営業支援サーバ装置に入力する活動情報入力ステップと、該活動情報入力ステップで入力された営業活動情報を前記営業支援サーバ装置に蓄積する活動情報蓄積ステップと、該活動情報蓄積ステップで蓄積された営業活動情報に基づいて、前記営業支援サーバ装置から前記キッティング管理サーバ装置に対し、キッティング作業開始情報を送信する開始情報送信ステップと、を含んでなることを特徴とする業務平準化方法。
【請求項１９】
前記営業支援サーバ装置にネットワークを介して接続され、顧客サービスセンタにおいて顧客サービスを支援するサービス支援サーバ装置を利用するものとし、前記開始情報送信ステップは、前記活動情報蓄積ステップで蓄積された営業活動情報に基づいて、前記営業支援サーバ装置から前記サービス支援サーバ装置に対し、顧客サービス開始情報を送信するステップを含んでなることを特徴とする請求項１８に記載の業務平準化方法。
【請求項２０】
前記営業支援サーバ装置にネットワークを介して接続され、前記販売員の属する企業の業務を管理する業務サーバ装置を利用するものとし、前記開始情報送信ステップは、前記活動情報蓄積ステップで蓄積された営業活動情報に基づいて、前記営業支援サーバ装置から前記業務サーバ装置に対し、業務開始情報を送信するステップを含んでなることを特徴とする請求項１８又は１９に記載の業務平準化方法。
【請求項２１】
商品の販売員の営業支援を行う営業支援サーバ装置と、該営業支援サーバ装置にネットワークを介して接続され、顧客サービスセンタにおいて顧客サービスを支援するサービス支援サーバ装置と、を利用して、顧客サービスの管理を行う業務平準化方法であって、販売員の営業活動情報を前記営業支援サーバ装置に入力する活動情報入力ステップと、該活動情報入力ステップで入力された営業活動情報を前記営業支援サーバ装置に蓄積する活動情報蓄積ステップと、該活動情報蓄積ステップで蓄積された営業活動情報に基づいて、前記営業支援サーバ装置から前記サービス支援サーバ装置に対し、顧客サービス開始情報を送信する開始情報送信ステップと、を含んでなることを特徴とする業務平準化方法。
【請求項２２】
商品の販売員の営業支援を行う営業支援サーバ装置と、該営業支援サーバ装置にネットワークを介して接続され、前記販売員の属する企業の業務を管理する業務サーバ装置と、を利用して、業務の管理を行う業務平準化方法であって、販売員の営業活動情報を前記営業支援サーバ装置に入力する活動情報入力ステップと、該活動情報入力ステップで入力された営業活動情報を前記営業支援サーバ装置に蓄積する活動情報蓄積ステップと、該活動情報蓄積ステップで蓄積された営業活動情報に基づいて、前記営業支援サーバ装置から前記業務サーバ装置に対し、業務開始情報を送信する開始情報送信ステップと、を含んでなることを特徴とする業務平準化方法。
【請求項２３】
前記営業支援サーバ装置には、営業活動の各段階における成約率に関する情報がアクセス可能に格納されており、前記開始情報送信ステップは、前記活動情報蓄積ステップで蓄積された営業活動情報に対し、前記成約率に基づいて商品の販売予測数及びその予測日を算出する販売予測数算出ステップを含んでなり、該販売予測数算出ステップで算出された販売予測数及びその予測日を含んだ情報として、キッティング作業，顧客サービス，業務のうち該当するタスクの開始情報を送信することを特徴とする請求項１８乃至２２のいずれか１項に記載の業務平準化方法。
【請求項２４】
コンピュータを、請求項１乃至１７のいずれか１項に記載の業務平準化システムとして機能させるためのプログラム。
【請求項２５】
コンピュータに、請求項１８乃至２３のいずれか１項に記載の業務平準化方法を実行させるためのプログラム。
【請求項２６】
請求項２４又は２５に記載のプログラムを記録したコンピュータ読み取り可能な記録媒体。
【発明の詳細な説明】
【０００１】
【発明の属する技術分野】
本発明は、業務平準化システム、業務平準化方法、プログラム、及び記録媒体に関する。
【０００２】
【従来の技術】
現状、販売員（セールス）が営業活動を実施する際には、営業支援システム（ＳＦＡシステム）を活用している。ＳＦＡシステムは、計画，販売前の活動，販売，販売後の活動，関係構築，レビューといったプロセスの繰り返しを営業活動として捉え、その営業活動を支援するために、営業活動情報を蓄積，解析，閲覧するシステムである。したがって、その販売員の属する企業の今後の営業活動に利用するために、その販売員が得た営業成果等をＳＦＡシステムに入力している。
【０００３】
ＳＦＡシステムを利用した場合でも、販売員はそのノルマなどもあって月末等の期末に商談を成立させることが多い。これに伴って、商談成立後に企業として行う業務，顧客サービス，商品の納品等の諸作業についても、期末に集中することが多い。
【０００４】
【発明が解決しようとする課題】
しかしながら、販売員が商談を成立させ、ＳＦＡシステムに営業成果を入力したとしても、商談成立後に企業として行う諸作業については、業務部門やサービス部門などには予め明確になっておらず、期末には諸作業が集中し効率が悪い。これは、商談成立まで、売上処理業務，商品発注業務，納品作業等のボリュームが分からず、仕事のスケジュールをたてにくいということも一因となっている。
【０００５】
パーソナルコンピュータ（ＰＣ），複写機，プリンタ等のＯＡ機器など、製品のキッティング及びカスタマサポートを必要とする商品（製品，サービス）を取り扱う企業にとっては、商談成立後の諸作業が多く、効率の悪化が避けられないので、上述した事態が特に問題となっている。
【０００６】
本発明は、上述のごとき実情に鑑みてなされたものであり、営業活動の成果として生じる業務部門が行う処理（売上処理業務，商品発注業務等），顧客サポート，キッティング作業，納品作業等の諸作業を、時期に依ることなく平準化して行うことが可能な、業務平準化システム、業務平準化方法、プログラム、及びそのプログラムを記録したコンピュータ読み取り可能な記録媒体を提供することをその目的とする。
【０００７】
【課題を解決するための手段】
上述の課題を解決するために、請求項１の発明は、商品の販売員の営業支援を行う営業支援サーバ装置と、該営業支援サーバ装置にネットワークを介して接続され、商品のキッティングを行うキッティングセンタにおいてキッティング作業の管理を行うキッティング管理サーバ装置と、を備えた業務平準化システムであって、前記営業支援サーバ装置は、販売員の営業活動情報を入力する活動情報入力手段と、該活動情報入力手段で入力された営業活動情報を蓄積する活動情報蓄積手段と、該活動情報蓄積手段で蓄積された営業活動情報に基づいて、前記キッティング管理サーバ装置に対し、キッティング作業開始情報を送信する開始情報送信手段と、を有することを特徴としたものである。
【０００８】
請求項２の発明は、請求項１の発明において、前記キッティング管理サーバ装置は、前記開始情報送信手段で送信されたキッティング作業開始情報に基づいて、前記営業活動情報に係わる商品に対しキッティング作業が実行可能な状態であることを記録する状態記録手段を有することを特徴としたものである。
【０００９】
請求項３の発明は、請求項２の発明において、前記キッティング管理サーバ装置は、前記状態記録手段で記録された実行可能状態を、該キッティング管理サーバ装置のクライアント装置に通知する状態通知手段を有することを特徴としたものである。
【００１０】
請求項４の発明は、請求項１乃至３のいずれか１項の発明において、前記営業支援サーバ装置には、営業活動の各段階における成約率に関する情報がアクセス可能に格納されており、前記開始情報送信手段は、前記活動情報蓄積手段で蓄積された営業活動情報に対し、前記成約率に基づいて商品の販売予測数及びその予測日を算出する販売予測数算出手段を有し、該販売予測数算出手段で算出された販売予測数及びその予測日を含んだ情報として、キッティング作業開始情報を送信することを特徴としたものである。
【００１１】
請求項５の発明は、請求項１乃至４のいずれか１項の発明において、前記キッティング管理サーバ装置は、前記キッティング作業開始情報に基づいて、キッティング作業における人員配置，日程を含んだスケジュールを算出する手段を有することを特徴としたものである。
【００１２】
請求項６の発明は、請求項１乃至５のいずれか１項の発明において、前記営業支援サーバ装置にネットワークを介して接続され、顧客サービスセンタにおいて顧客サービスを支援するサービス支援サーバ装置を備え、前記開始情報送信手段は、前記活動情報蓄積手段で蓄積された営業活動情報に基づいて、前記サービス支援サーバ装置に対し、顧客サービス開始情報を送信する手段を有することを特徴としたものである。
【００１３】
請求項７の発明は、請求項６の発明において、前記サービス支援サーバ装置は、前記開始情報送信手段で送信された顧客サービス開始情報に基づいて、前記営業活動情報に係わる商品に対する顧客サービスが実行可能な状態であることを記録する状態記録手段を有することを特徴としたものである。
【００１４】
請求項８の発明は、請求項７の発明において、前記サービス支援サーバ装置は、前記状態記録手段で記録された実行可能状態を、該サービス支援サーバ装置のクライアント装置に通知する状態通知手段を有することを特徴としたものである。
【００１５】
請求項９の発明は、請求項６乃至８のいずれか１項の発明において、前記営業支援サーバ装置には、営業活動の各段階における成約率に関する情報がアクセス可能に格納されており、前記開始情報送信手段は、前記活動情報蓄積手段で蓄積された営業活動情報に対し、前記成約率に基づいて商品の販売予測数及びその予測日を算出する販売予測数算出手段を有し、該販売予測数算出手段で算出された販売予測数及びその予測日を含んだ情報として、顧客サービス開始情報を送信することを特徴としたものである。
【００１６】
請求項１０の発明は、請求項６乃至９のいずれか１項の発明において、前記サービス支援サーバ装置は、顧客の機器に接続された顧客サービス用アダプタに、ネットワーク接続されており、前記顧客サービス用アダプタからの通報を、前記営業支援サーバ装置に営業活動情報として転送する通報転送手段を有することを特徴としたものである。
【００１７】
請求項１１の発明は、請求項１乃至１０のいずれか１項の発明において、前記営業支援サーバ装置にネットワークを介して接続され、前記販売員の属する企業の業務を管理する業務サーバ装置を備え、前記開始情報送信手段は、前記活動情報蓄積手段で蓄積された営業活動情報に基づいて、前記業務サーバ装置に対し、業務開始情報を送信する手段を有することを特徴としたものである。
【００１８】
請求項１２の発明は、請求項１１の発明において、前記業務サーバ装置は、前記開始情報送信手段で送信された業務開始情報に基づいて、前記営業活動情報に係わる商品に対し発注処理，出荷処理，売上処理のいずれか１又は複数の処理が実行可能な状態であることを記録する状態記録手段を有することを特徴としたものである。
【００１９】
請求項１３の発明は、請求項１２の発明において、前記業務サーバ装置は、前記状態記録手段で記録された実行可能状態を、該業務サーバ装置のクライアント装置に通知する状態通知手段を有することを特徴としたものである。
【００２０】
請求項１４の発明は、請求項１１乃至１３のいずれか１項の発明において、前記営業支援サーバ装置には、営業活動の各段階における成約率に関する情報がアクセス可能に格納されており、前記開始情報送信手段は、前記活動情報蓄積手段で蓄積された営業活動情報に対し、前記成約率に基づいて商品の販売予測数及びその予測日を算出する販売予測数算出手段を有し、該販売予測数算出手段で算出された販売予測数及びその予測日を含んだ情報として、業務開始情報を送信することを特徴としたものである。
【００２１】
請求項１５の発明は、商品の販売員の営業支援を行う営業支援サーバ装置と、該営業支援サーバ装置にネットワークを介して接続され、顧客サービスセンタにおいて顧客サービスを支援するサービス支援サーバ装置と、を備えた業務平準化システムであって、前記営業支援サーバ装置は、販売員の営業活動情報を入力する活動情報入力手段と、該活動情報入力手段で入力された営業活動情報を蓄積する活動情報蓄積手段と、該活動情報蓄積手段で蓄積された営業活動情報に基づいて、前記サービス支援サーバ装置に対し、顧客サービス開始情報を送信する開始情報送信手段と、を有することを特徴としたものである。
【００２２】
請求項１６の発明は、商品の販売員の営業支援を行う営業支援サーバ装置と、該営業支援サーバ装置にネットワークを介して接続され、前記販売員の属する企業の業務を管理する業務サーバ装置と、を備えた業務平準化システムであって、前記営業支援サーバ装置は、販売員の営業活動情報を入力する活動情報入力手段と、該活動情報入力手段で入力された営業活動情報を蓄積する活動情報蓄積手段と、該活動情報蓄積手段で蓄積された営業活動情報に基づいて、前記業務サーバ装置に対し、業務開始情報を送信する開始情報送信手段と、を有することを特徴としたものである。
【００２３】
請求項１７の発明は、請求項１乃至１６のいずれか１項の発明において、前記活動情報入力手段は、前記販売員が使用する営業支援サーバ装置用クライアント装置からネットワークを介して入力する手段を有することを特徴としたものである。
【００２４】
請求項１８の発明は、商品の販売員の営業支援を行う営業支援サーバ装置と、該営業支援サーバ装置にネットワークを介して接続されたキッティング管理サーバ装置と、を利用して、商品のキッティングを行うキッティングセンタにおけるキッティング作業の管理を行う業務平準化方法であって、販売員の営業活動情報を前記営業支援サーバ装置に入力する活動情報入力ステップと、該活動情報入力ステップで入力された営業活動情報を前記営業支援サーバ装置に蓄積する活動情報蓄積ステップと、該活動情報蓄積ステップで蓄積された営業活動情報に基づいて、前記営業支援サーバ装置から前記キッティング管理サーバ装置に対し、キッティング作業開始情報を送信する開始情報送信ステップと、を含んでなることを特徴としたものである。
【００２５】
請求項１９の発明は、請求項１８の発明において、前記営業支援サーバ装置にネットワークを介して接続され、顧客サービスセンタにおいて顧客サービスを支援するサービス支援サーバ装置を利用するものとし、前記開始情報送信ステップは、前記活動情報蓄積ステップで蓄積された営業活動情報に基づいて、前記営業支援サーバ装置から前記サービス支援サーバ装置に対し、顧客サービス開始情報を送信するステップを含んでなることを特徴としたものである。
【００２６】
請求項２０の発明は、請求項１８又は１９の発明において、前記営業支援サーバ装置にネットワークを介して接続され、前記販売員の属する企業の業務を管理する業務サーバ装置を利用するものとし、前記開始情報送信ステップは、前記活動情報蓄積ステップで蓄積された営業活動情報に基づいて、前記営業支援サーバ装置から前記業務サーバ装置に対し、業務開始情報を送信するステップを含んでなることを特徴としたものである。
【００２７】
請求項２１の発明は、商品の販売員の営業支援を行う営業支援サーバ装置と、該営業支援サーバ装置にネットワークを介して接続され、顧客サービスセンタにおいて顧客サービスを支援するサービス支援サーバ装置と、を利用して、顧客サービスの管理を行う業務平準化方法であって、販売員の営業活動情報を前記営業支援サーバ装置に入力する活動情報入力ステップと、該活動情報入力ステップで入力された営業活動情報を前記営業支援サーバ装置に蓄積する活動情報蓄積ステップと、該活動情報蓄積ステップで蓄積された営業活動情報に基づいて、前記営業支援サーバ装置から前記サービス支援サーバ装置に対し、顧客サービス開始情報を送信する開始情報送信ステップと、を含んでなることを特徴としたものである。
【００２８】
請求項２２の発明は、商品の販売員の営業支援を行う営業支援サーバ装置と、該営業支援サーバ装置にネットワークを介して接続され、前記販売員の属する企業の業務を管理する業務サーバ装置と、を利用して、業務の管理を行う業務平準化方法であって、販売員の営業活動情報を前記営業支援サーバ装置に入力する活動情報入力ステップと、該活動情報入力ステップで入力された営業活動情報を前記営業支援サーバ装置に蓄積する活動情報蓄積ステップと、該活動情報蓄積ステップで蓄積された営業活動情報に基づいて、前記営業支援サーバ装置から前記業務サーバ装置に対し、業務開始情報を送信する開始情報送信ステップと、を含んでなることを特徴としたものである。
【００２９】
請求項２３の発明は、請求項１８乃至２２のいずれか１項の発明において、前記営業支援サーバ装置には、営業活動の各段階における成約率に関する情報がアクセス可能に格納されており、前記開始情報送信ステップは、前記活動情報蓄積ステップで蓄積された営業活動情報に対し、前記成約率に基づいて商品の販売予測数及びその予測日を算出する販売予測数算出ステップを含んでなり、該販売予測数算出ステップで算出された販売予測数及びその予測日を含んだ情報として、キッティング作業，顧客サービス，業務のうち該当するタスクの開始情報を送信することを特徴としたものである。
【００３０】
請求項２４の発明は、コンピュータを、請求項１乃至１７のいずれか１項の発明の業務平準化システムとして機能させるためのプログラムである。
【００３１】
請求項２５の発明は、コンピュータに、請求項１８乃至２３のいずれか１項の発明の業務平準化方法を実行させるためのプログラムである。
【００３２】
請求項２６の発明は、請求項２４又は２５の発明のプログラムを記録したコンピュータ読み取り可能な記録媒体である。
【００３３】
【発明の実施の形態】
図１は、本発明の一実施形態に係る業務平準化システムの一構成例を示す図である。また、図２は、図１の業務平準化システムにおける業務平準化処理を説明するためのフロー図で、本発明の一実施形態に係る業務平準化方法を説明するためのフロー図でもある。図１中、１は営業支援サーバ装置、２はネットワーク、３はキッティング管理サーバ装置、１０は販売員のクライアント装置、１１は顧客管理データベース（ＤＢ）、１２は営業活動情報ＤＢ、１３は活動情報入力手段、１４は活動情報蓄積手段、１５は開始情報送信手段、３０はキッティング作業者のクライアント装置、３１は作業管理ＤＢ、３２は状態記録手段、３３は状態通知手段である。
【００３４】
本発明の一実施形態に係る業務平準化システム（以下、本システムという）は、商品のキッティングを行うキッティングセンタにおけるキッティング作業の管理を行い、キッティング作業の平準化を図るためのシステムである。本システムは、商品の販売員の営業支援を行う営業支援サーバ装置１と、営業支援サーバ装置１にネットワーク２を介して接続されたキッティング管理サーバ装置３と、を備えるものとする。キッティング管理サーバ装置３は、商品のキッティングを行うキッティングセンタ（複数箇所に存在する場合もある）においてキッティング作業の管理を行うサーバ装置である。なお、図１の例では、営業支援サーバ装置１に、顧客管理ＤＢ１１及び営業活動情報ＤＢ１２をアクセス可能な状態で備えるものとする。
【００３５】
営業支援サーバ装置１は、活動情報入力手段１３，活動情報蓄積手段１４，開始情報送信手段１５を備えるものとし、販売員のクライアント装置１０にネットワーク（ネットワーク２と同じネットワークでもよい）を介して接続されているものとする。
【００３６】
活動情報入力手段１３では、販売員の営業活動情報を入力する。活動情報入力手段１３では、販売員が使用する営業支援サーバ装置１用クライアント装置１０からネットワークを介して入力するようにすることが好ましい。ここで営業活動情報は、商談の過程を熟度ごとに販売員により入力され、営業支援サーバ装置１で管理されるようにしていくとよい。また、活動情報蓄積手段１４では、活動情報入力手段１３で入力された営業活動情報を蓄積する。図１の例では、営業活動情報ＤＢ１２に蓄積するものとする。開始情報送信手段１５では、営業活動情報ＤＢ１２に蓄積された営業活動情報に基づいて、キッティング管理サーバ装置３に対し、キッティング作業開始情報を送信する。なお、キッティング作業開始情報に加え、後述する各種開始情報は、例えば営業活動情報が受注ステイタスとなった時などに送信するとよい。
【００３７】
キッティング作業開始情報には商品の販売予測数及びその予測日を含ませるようにすることが好ましい。そのために、営業支援サーバ装置１には、営業活動の各段階における成約率に関する情報がアクセス可能に格納されており、開始情報送信手段１５に販売予測数算出手段を備えるとよい。この販売予測数算出手段では、活動情報蓄積手段１４で蓄積された営業活動情報に対し、成約率に基づいて商品の販売予測数及びその予測日を算出する。開始情報送信手段１５では、ここで算出された販売予測数及びその予測日を含んだ情報として、キッティング作業開始情報を送信するようにする。ここで、営業活動の各段階における成約率に関する情報とは、例えば或る商品に対してその営業活動がどの段階まで進展すれば、成約率はどのぐらいであるか、といった情報である。また、営業活動情報が、商談の過程を熟度ごとに販売員により入力され、営業支援サーバ装置１で管理していくことで、予測がし易くなる。
【００３８】
一方、キッティング管理サーバ装置３は、状態記録手段３２を備え、さらに作業管理ＤＢ３１をアクセス可能な状態で備えるものとし、好ましくはキッティング作業者のクライアント装置３０にネットワーク（ネットワーク２と同じネットワークでもよい）を介して接続されているものとする。ここで、クライアント装置３０を接続せず、キッティング管理サーバ装置３が単独でキッティング作業者の作業管理等を提供する形態でもよい。
【００３９】
状態記録手段３２では、開始情報送信手段１５で送信されたキッティング作業開始情報に基づいて、営業活動情報に係わる商品に対しキッティング作業が実行可能な状態であることを記録する。この記録により、キッティング作業者が開始情報を閲覧し、作業を開始することができるようになる。
【００４０】
また、キッティング管理サーバ装置３にスケジュール算出手段を備えることが好ましい。このスケジュール算出手段では、キッティング作業開始情報に基づいて、マシンセッティング等のキッティング作業における人員配置，日程を含んだスケジュールを算出する。算出するスケジュールとしては、キッティング作業計画として、組み付け部品等の入荷予定なども併せて企てるとよい。
【００４１】
さらに、キッティング管理サーバ装置３には、状態通知手段３３を備えるようにしてもよい。状態通知手段３３では、状態記録手段３２で記録された実行可能状態を、キッティング管理サーバ装置３のクライアント装置３０に通知する。
【００４２】
上述のごとく、本システムにおいては、まず販売員が営業活動情報を営業支援サーバ装置１に入力し（ステップＳ１）、営業支援サーバ装置１は、入力された営業活動情報を営業活動情報ＤＢ１２に蓄積する（ステップＳ２）。営業支援サーバ装置１は、蓄積された営業活動情報に基づいて、キッティング管理サーバ装置３に対し、キッティング作業開始情報を送信する（ステップＳ３）。そして、キッティング管理サーバ装置３は、送信されたキッティング作業開始情報に基づいて、営業活動情報に係わる商品に対しキッティング作業が実行可能な状態であることを記録し（ステップＳ４）、記録された実行可能状態を、キッティング管理サーバ装置３のクライアント装置３０に通知する（ステップＳ５）。
【００４３】
また、ネットワーク２等の本明細書中に記載のネットワークとしては、通信回線（有線，無線に限らず）を使用したインターネット，イントラネット，エクストラネット等のネットワークシステムで構成される。このネットワークシステムはＬＡＮ（Ｌｏｃａｌ  Ａｒｅａ  Ｎｅｔｗｏｒｋ）環境に限らず各サーバ装置の設置場所によってはＷＡＮ（Ｗｉｄｅ  Ａｒｅａ  Ｎｅｔｗｏｒｋ）環境やＭＡＮ（Ｍｅｔｒｏｐｏｌｉｔａｎ  Ａｒｅａ  Ｎｅｔｗｏｒｋ）環境で構築される場合もある。また、このネットワークは、専用回線の使用、伝送データの暗号化、各クライアント装置等を使用するユーザの認証など様々な方法によるセキュリティの強化が必要となる。セキュリティの強化は、インターネット接続を利用する場合には特に注意が必要となる。但し、インターネット技術のみで構成されるネットワークシステムは、後述する顧客の製品に接続されたアダプタからの通信のみにすることが好ましい。
【００４４】
また、クライアント装置１０，３０，営業支援サーバ装置１，キッティング管理サーバ装置３，顧客管理ＤＢ１１，営業活動情報ＤＢ１２，作業管理ＤＢ３１，後述する各種サーバ装置（業務サーバ装置，サービス支援サーバ装置）やＤＢ（業務管理ＤＢ，サービス支援ＤＢ）やクライアント装置（業務処理者やサービス支援者用のクライアント装置）等、本明細書中に記載するクライアント装置，各種サーバ装置，各種ＤＢは、そのユーザの企業内に設置していることを前提として説明しているが、システムの一部を提供するアプリケーションサービス提供業者（ＡＳＰ事業者）の会社などに設置していてもよい。また、各サーバ装置に各ＤＢが物理的に含まれている形態でも、各サーバ装置に各ＤＢがネットワークを介して接続され、物理的に離散している形態を採用してもよい。またＤＢは、その構成上別々のものでも一体型のものでもよく、要はデータベースとしての機能がはたせる形態であればよい。各ＤＢを管理するサーバ装置は、ＤＢの維持・運用を行う専用のソフトウェア（ＤＢ管理システム）を備えるようにすることが好ましい。これにより、ＤＢ内のデータを本発明に係る各機能を実現するプログラム（アプリケーションソフト）から物理的，論理的に独立させ、各種アプリケーションのバージョンアップやシステム構築が容易になる上に、データの整合性（一貫性）を保て、データのセキュリティの確保が行い易くなる。さらに、各サーバ装置は、処理に応じた階層構造をもつサーバとしてもよい。
【００４５】
図１及び図２を参照して説明した各実施形態によれば、営業活動の成果として生じるキッティング作業，納品作業等の諸作業を、時期に依ることなく平準化して行うことが可能となり、結果として諸作業の効率化が図れる。また、販売員に加え、キッティング作業者が営業支援サーバ装置のデータで情報を共有し、営業活動情報のリードタイムが短縮されるので、その点からも実務の平準化，効率化が可能となる。
【００４６】
図３は、本発明の他の実施形態に係る業務平準化システムの一構成例を示す図である。また、図４は、図３の業務平準化システムにおける業務平準化処理を説明するためのフロー図で、本発明の他の実施形態に係る業務平準化方法を説明するためのフロー図でもある。図３中、４は業務サーバ装置、４０は業務処理者のクライアント装置、４１は業務管理ＤＢ、４２は状態記録手段、４３は状態通知手段であり、その他、図１と同様の部分には同じ符号を付して説明を省略する。
【００４７】
本発明の他の実施形態に係る業務平準化システム（以下、本システムと呼ぶ）は、図１及び図２で説明した各実施形態のシステムにおいて、業務部門へも開始情報を送信するシステムであり、上述したシステムと同様の箇所や応用形態（例えば販売予測数算出手段に係る形態等）の説明はその効果の説明も含め省略する。
【００４８】
本システムは、営業支援サーバ装置１にネットワーク２を介して接続された業務サーバ装置４を備えるものとする。業務サーバ装置４は、販売員の属する企業の業務を管理するサーバ装置である。本システムにおける開始情報送信手段１５では、キッティング作業開始情報の送信だけでなく、それと同様のプロセスで、活動情報蓄積手段１４で蓄積された営業活動情報に基づいて、業務サーバ装置４に対し、業務開始情報を送信する。
【００４９】
一方、業務サーバ装置４は、状態記録手段４２を備え、さらに業務管理ＤＢ４１をアクセス可能な状態で備えるものとし、好ましくは業務処理者のクライアント装置４０にネットワーク（ネットワーク２と同じネットワークでもよい）を介して接続されているものとする。ここで、クライアント装置４０を接続せず、業務サーバ装置４が単独で業務処理者の業務処理の管理等を提供する形態でもよい。
【００５０】
状態記録手段４２、さらには状態通知手段４３に関する説明は、図１の状態記録手段３２，状態通知手段３３に関する説明を援用することで可能であり、受け取る情報が業務開始情報である点、実行可能な状態を記録，クライアント装置４０へ通知する処理が、発注処理，出荷処理，売上処理のいずれか１又は複数の処理である点のみが異なる。また、ここでも処理のスケジュールを企て利用してもよい。
【００５１】
上述のごとく、本システムにおいては、まず販売員が営業活動情報を営業支援サーバ装置１に入力し（ステップＳ１１）、営業支援サーバ装置１は、入力された営業活動情報を営業活動情報ＤＢ１２に蓄積する（ステップＳ１２）。営業支援サーバ装置１は、蓄積された営業活動情報に基づいて、キッティング管理サーバ装置３に対しキッティング作業開始情報を、業務サーバ装置４に対して業務開始情報を、それぞれ送信する（ステップＳ１３）。そして、キッティング管理サーバ装置３は、送信されたキッティング作業開始情報に基づいて、営業活動情報に係わる商品に対しキッティング作業が実行可能な状態であることを記録し（ステップＳ１４）、記録された実行可能状態を、キッティング管理サーバ装置３のクライアント装置３０に通知する（ステップＳ１５）。また、業務サーバ装置４は、送信された業務開始情報に基づいて、営業活動情報に係わる商品に対し発注処理，出荷処理，売上処理等の処理が実行可能な状態であることを記録し（ステップＳ１４）、記録された実行可能状態を、業務サーバ装置４のクライアント装置４０に通知する（ステップＳ１５）。
【００５２】
図３及び図４を参照して説明した各実施形態によれば、営業活動の成果として生じる業務部門が行う処理やキッティング作業，納品作業等の諸作業を、時期に依ることなく平準化して行うことが可能となり、結果として諸作業の効率化が図れる。また、販売員に加え、業務処理者，キッティング作業者が営業支援サーバ装置のデータで情報を共有し、営業活動情報のリードタイムが短縮されるので、その点からも実務の平準化，効率化が可能となる。
【００５３】
図５は、本発明の他の実施形態に係る業務平準化システムの一構成例を示す図である。図５中、５はサービス支援サーバ装置、５０は顧客サービス提供者のクライアント装置、５１はサービス支援ＤＢ、５２は状態記録手段、５３は状態通知手段であり、その他、図１及び図３と同様の部分には同じ符号を付して説明を省略する。
【００５４】
本発明の他の実施形態に係る業務平準化システム（以下、本システムと呼ぶ）は、図３及び図４で説明した各実施形態のシステムにおいて、顧客サービスセンタ（顧客サービス部門）へも開始情報を送信するシステムであり、上述したシステムと同様の箇所や応用形態（例えば販売予測数算出手段に係る形態等）の説明はその効果の説明も含め省略する。
【００５５】
本システムは、営業支援サーバ装置１にネットワーク２を介して接続されたサービス支援サーバ装置５を備えるものとする。サービス支援サーバ装置５は、顧客サービスセンタにおいて顧客サービスを支援するサーバ装置である。ここで、顧客サービスとは、後述する顧客サービス用のアダプタ（顧客の機器に設置しネットワーク経由で機器の状態を把握するアダプタ）を使用したものであったり、単に顧客からの依頼に基づく修理，消耗品供給等のサービスが挙げられる。
【００５６】
顧客サービス用アダプタは、顧客の機器に接続し（又は組み込み）、ネットワーク経由で機器の状態を把握する遠隔診断用アダプタであり、例えば複写機に接続した場合、センサ値の変化や紙づまりの発生頻度等の稼働情報をオンライン管理することにより、複写機を良好な状態に保つ役割を果たす。また、万一の故障時にもサービス支援サーバ装置５（顧客サービスセンタ）へ自動通報したり、顧客が任意で複写機から顧客サービスセンタへ通報できるなど、コピー管理の軽減をはかることが可能となっている。
【００５７】
本システムにおける開始情報送信手段１５では、キッティング作業開始情報や業務開始情報の送信だけでなく、それと同様のプロセスで、活動情報蓄積手段１４で蓄積された営業活動情報に基づいて、サービス支援サーバ装置５に対し、顧客サービス開始情報を送信する。営業支援サーバ装置１上で、営業活動情報により、アダプタ設置機種が受注ステイタスとなった時点で、サービス支援サーバ装置５に対し、顧客サービス開始情報としてその情報が送信され、顧客マスタ（顧客サービス享受者の情報）設定等の作業が自動で行われる。事前準備が瞬時に済むため、機器とアダプタの同時設置も可能となる。これに対し、従来は、通常、機器納品手配が終わってから、顧客サービスセンタにＦＡＸ等で依頼をかけていたため、顧客マスタ設定が間に合わず、機器納入と同時にアダプタの設置ができず、販売員等が再訪問し二度手間となっていることが多かった。
【００５８】
一方、サービス支援サーバ装置５は、状態記録手段５２を備え、さらにサービス支援ＤＢ５１をアクセス可能な状態で備えるものとし、好ましくは顧客サービス提供者のクライアント装置５０にネットワーク（ネットワーク２と同じネットワークでもよい）を介して接続されているものとする。ここで、クライアント装置５０を接続せず、サービス支援サーバ装置５が単独で顧客サービス提供者のサービスの管理情報等を提供する形態でもよい。
【００５９】
状態記録手段５２、さらには状態通知手段５３に関する説明は、図１の状態記録手段３２，状態通知手段３３に関する説明を援用することで可能であり、受け取る情報が顧客サービス開始情報である点、実行可能な状態を記録，クライアント装置５０へ通知する処理が、顧客サービス提供である点のみが異なる。また、ここでもサービス提供のスケジュールを企て利用してもよい。これにより、販売する機器とアダプタとの同時設置なとも可能となる。
【００６０】
図４を再度参照すると、上述のごとく、本システムにおいては、まず販売員が営業活動情報を営業支援サーバ装置１に入力し（ステップＳ１１）、営業支援サーバ装置１は、入力された営業活動情報を営業活動情報ＤＢ１２に蓄積する（ステップＳ１２）。営業支援サーバ装置１は、蓄積された営業活動情報に基づいて、キッティング管理サーバ装置３に対しキッティング作業開始情報を、業務サーバ装置４に対して業務開始情報を、サービス支援サーバ装置５に対して顧客サービス開始情報を、それぞれ送信する（ステップＳ１３）。そして、キッティング管理サーバ装置３は、送信されたキッティング作業開始情報に基づいて、営業活動情報に係わる商品に対しキッティング作業が実行可能な状態であることを記録し（ステップＳ１４）、記録された実行可能状態を、キッティング管理サーバ装置３のクライアント装置３０に通知する（ステップＳ１５）。また、業務サーバ装置４は、送信された業務開始情報に基づいて、営業活動情報に係わる商品に対し発注処理，出荷処理，売上処理等の処理が実行可能な状態であることを記録し（ステップＳ１４）、記録された実行可能状態を、業務サーバ装置４のクライアント装置４０に通知する（ステップＳ１５）。また、サービス支援サーバ装置５は、送信された顧客サービス開始情報に基づいて、営業活動情報に係わる商品に対し顧客サービスが実行可能な状態であることを記録し（ステップＳ１４）、記録された実行可能状態を、サービス支援サーバ装置５のクライアント装置５０に通知する（ステップＳ１５）。
【００６１】
図５及び図４を参照して説明した各実施形態によれば、営業活動の成果として生じる顧客サポートや業務部門が行う処理，キッティング作業，納品作業等の諸作業を、時期に依ることなく平準化して行うことが可能となり、結果として諸作業の効率化が図れる。また、販売員に加え、顧客サービス提供者，業務処理者，キッティング作業者が営業支援サーバ装置のデータで情報を共有し、営業活動情報のリードタイムが短縮されるので、その点からも実務の平準化，効率化が可能となる。
【００６２】
図６は、本発明の他の実施形態に係る業務平準化システムの一構成例を示す図である。また、図７は、図６の業務平準化システムにおける業務平準化処理を説明するためのフロー図で、本発明の他の実施形態に係る業務平準化方法を説明するためのフロー図でもある。図７中、６はネットワーク、７は商品（ＯＡ機器等）、７０は複写機、７１はアダプタであり、その他、図１及び図３及び図５と同様の部分には同じ符号を付して説明を省略する。
【００６３】
本発明の他の実施形態に係る業務平準化システム（以下、本システムと呼ぶ）は、図５及び図４で説明した各実施形態のシステムにおいて、顧客からの通知に基づいた諸作業を行うためのシステムであり、上述したシステムと同様の箇所や応用形態（例えば販売予測数算出手段に係る形態等）の説明はその処理の流れ及び効果の説明も含め省略する。
【００６４】
本システムにおけるサービス支援サーバ装置５は、顧客の機器（例えば複写機７０）に接続された顧客サービス用アダプタ７１に、ネットワーク接続されていることを前提とし、通報転送手段５４を備えるものとする。通報転送手段５４では、顧客サービス用アダプタ７１からの通報を、営業支援サーバ装置１に営業活動情報として転送する。営業活動情報として転送した後の処理は、上述した各実施形態と基本的に同様である。
【００６５】
また、顧客サービス用アダプタ７１は、上述したように顧客の機器（例えば複写機７０）に接続し（又は組み込み）、ネットワーク６経由で機器の状態を把握するアダプタであるが、顧客サービスセンタからの貸与品としておくことが好ましく、機器（例えば複写機７０）と併せて商品７として販売しても、後から顧客の要望に応じて設置してもよい。なお、このとき業務開始情報としては、発注処理として、商品の発注処理に加え、サービス支援サーバ装置５等に対し貸与に必要なアダプタの発注処理も行うようにするとよい。
【００６６】
上述のごとく、本システムにおいては、まずサービス支援サーバ装置５は、顧客のアダプタから受けた通報を、営業活動情報として営業支援サーバ装置１に入力する（ステップＳ２１）。営業支援サーバ装置１は、入力された営業活動情報を営業活動情報ＤＢ１２に蓄積する（ステップＳ２２）。営業支援サーバ装置１は、蓄積された営業活動情報に基づいて、キッティング管理サーバ装置３に対しキッティング作業開始情報を、業務サーバ装置４に対して業務開始情報を、サービス支援サーバ装置５に対して顧客サービス開始情報を、それぞれ送信する（ステップＳ２３）。そして、キッティング管理サーバ装置３は、送信されたキッティング作業開始情報に基づいて、営業活動情報に係わる商品に対しキッティング作業が実行可能な状態であることを記録し（ステップＳ２４）、記録された実行可能状態を、キッティング管理サーバ装置３のクライアント装置３０に通知する（ステップＳ２５）。また、業務サーバ装置４は、送信された業務開始情報に基づいて、営業活動情報に係わる商品に対し発注処理，出荷処理，売上処理等の処理が実行可能な状態であることを記録し（ステップＳ２４）、記録された実行可能状態を、業務サーバ装置４のクライアント装置４０に通知する（ステップＳ２５）。また、サービス支援サーバ装置５は、送信された顧客サービス開始情報に基づいて、営業活動情報に係わる商品に対し顧客サービスが実行可能な状態であることを記録し（ステップＳ２４）、記録された実行可能状態を、サービス支援サーバ装置５のクライアント装置５０に通知する（ステップＳ２５）。
【００６７】
図６及び図７を参照して説明した各実施形態によれば、顧客の機器に接続したアダプタからの通報を営業活動として取り扱い、その成果として生じる顧客サポートや業務部門が行う処理，キッティング作業，納品作業等の諸作業を、時期に依ることなく平準化して行うことが可能となり、結果として諸作業の効率化が図れる。また、顧客サービス提供者に加え、販売員，業務処理者，キッティング作業者（及び他の顧客サービス提供者）が営業支援サーバ装置のデータで情報を共有し、営業活動情報のリードタイムが短縮されるので、その点からも実務の平準化，効率化が可能となる。
【００６８】
なお、図１乃至図７を参照して各実施形態を説明してきたが、本発明は、営業支援サーバ装置１にネットワークを介して接続されたサービス支援サーバ装置５を備え、顧客サービスのみを支援し、顧客サービスの平準化のみを目指すシステムとしての形態や、営業支援サーバ装置１にネットワークを介して接続された業務サーバ装置４を備え、業務処理のみを支援し、業務処理の平準化のみを目指すシステムとしての形態としても採用可能である。
【００６９】
ここで、上述の各実施形態に関し、クライアント装置１０，３０，４０，５０や各種サーバ装置１，３，４，５など、ＰＣ（パーソナルコンピュータ）等の汎用コンピュータやサーバコンピュータにおける各種情報の処理について、図８に示す一般的な情報処理装置の構成例を参照して説明する。
【００７０】
図８は、一般的な情報処理装置の構成例を示すブロック図である。図８中、８１はＣＰＵ、８２はＲＡＭ、８３はＲＯＭ、８４は入力装置、８５は表示装置、８６は通信装置、８７は出力装置、８８はバスである。
【００７１】
本システムで取り扱われる情報は、その処理時に一時的にＲＡＭ８２に蓄積され、その後、各種ＲＯＭ８３に格納され、必要に応じて、ＣＰＵ８１によって読み出し、修正・書き込みが行われる。また、コンピュータを本システム又は各装置として機能させるためのプログラムは、それぞれのＲＯＭ８３に蓄積され、ＣＰＵ８１が読み出すことによって実行される。また、処理の途中経過や途中結果は、ＣＲＴ，ＬＣＤ等の表示装置８５を通してユーザに提示され、必要な場合には、キーボード，マウス（ポインティングデバイス）等の入力装置８４からユーザが処理に必要なパラメータを入力指定すればよい。このプログラムは、ユーザが使用する際に容易となるように、表示装置８５用のグラフィカルユーザインターフェース（ＧＵＩ）を備えるようにするとよい。通信装置８６は上述のネットワーク２，６等に接続して通信を行うための機器である。なお、ＣＰＵ８１，ＲＡＭ８２，ＲＯＭ８３，入力装置８４，表示装置８５，通信装置８６，プリンタ等の出力装置８７は、バス８８などで接続されていればよい。
【００７２】
以上、図１乃至図８を参照しながら、本発明のシステム及び方法を中心に各実施形態を説明してきたが、本発明は、上述した各実施形態におけるクライアント装置，サーバ装置に係る説明で説明したように、コンピュータをそれらシステムとして機能させるためのプログラム、或いはコンピュータにそれらシステムの処理手順やそれら方法を実行させるためのプログラムとしても、或いは、そのプログラムを記録したコンピュータ読み取り可能な記録媒体としての形態も可能である。
【００７３】
本発明による業務平準化の機能を実現するためのプログラムやデータを記憶した記録媒体の実施形態を説明する。記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定でき、これら記録媒体に上述した本発明の各実施形態のシステムの機能をコンピュータに実行させ、業務平準化の機能を実現するためのプログラムを記録して流通させることにより、当機能の実現を容易にする。そして、図８で例示したようなコンピュータ等の情報処理装置に、上述のごとくの記録媒体を装着して情報処理装置によりプログラムを読み出すか、若しくは情報処理装置が備えている記録媒体に当プログラムを記憶させておき、必要に応じて読み出すことにより、本発明に係わる業務平準化の機能を実行することができる。
【００７４】
【発明の効果】
本発明によれば、営業活動の成果として生じる業務部門が行う処理（売上処理業務，商品発注業務等），顧客サポート，キッティング作業，納品作業等の諸作業を、時期に依ることなく平準化して行うことが可能となる。
【図面の簡単な説明】
【図１】本発明の一実施形態に係る業務平準化システムの一構成例を示す図である。
【図２】図１の業務平準化システムにおける業務平準化処理を説明するためのフロー図で、本発明の一実施形態に係る業務平準化方法を説明するためのフロー図でもある。
【図３】本発明の他の実施形態に係る業務平準化システムの一構成例を示す図である。
【図４】図３の業務平準化システムにおける業務平準化処理を説明するためのフロー図で、本発明の他の実施形態に係る業務平準化方法を説明するためのフロー図でもある。
【図５】本発明の他の実施形態に係る業務平準化システムの一構成例を示す図である。
【図６】本発明の他の実施形態に係る業務平準化システムの一構成例を示す図である。
【図７】図６の業務平準化システムにおける業務平準化処理を説明するためのフロー図で、本発明の他の実施形態に係る業務平準化方法を説明するためのフロー図でもある。
【図８】一般的な情報処理装置の構成例を示すブロック図である。
【符号の説明】
１…営業支援サーバ装置、２，６…ネットワーク、３…キッティング管理サーバ装置、４…業務サーバ装置、５…サービス支援サーバ装置、７…顧客の商品、１０…販売員のクライアント装置、１１…顧客管理ＤＢ、１２…営業活動情報ＤＢ、１３…活動情報入力手段、１４…活動情報蓄積手段、１５…開始情報送信手段、３０…キッティング作業者のクライアント装置、３１…作業管理ＤＢ、３２，４２，５２…状態記録手段、３３，４３，５３…状態通知手段、４０…業務処理者のクライアント装置、４１…業務管理ＤＢ、５０…顧客サービス提供者のクライアント装置、５１…サービス支援ＤＢ、５４…通報転送手段、７０…複写機、７１…顧客サービス用アダプタ、８１…ＣＰＵ、８２…ＲＡＭ、８３…ＲＯＭ、８４…入力装置、８５…表示装置、８６…通信装置、８７…出力装置、８８…バス。
【図１】
2004341704.tif 000003
【図２】
2004341704.tif 000004
【図３】
2004341704.tif 000005
【図４】
2004341704.tif 000006
【図５】
2004341704.tif 000007
【図６】
2004341704.tif 000008
【図７】
2004341704.tif 000009
【図８】
2004341704.tif 000010